(57)【特許請求の範囲】
【請求項１】
折り畳み可能なマッサージ機において、折り曲げ部が折り畳み方向に折り曲げられ且つ反対方向には折り曲げられない構造のものであって、使用時に折り曲げ部が固定でき、収納時には折り曲げることを可能とする折り曲げ部固定手段を設けて成り、複数のローラを有し、一定距離を保つローラ間に連結部材を設け、連結部材が折り畳み方向には折り曲げられ且つ反対方向には折り曲げられない構造となっていることを特徴とするマッサージ機。
【請求項２】
折り曲げ部固定手段がピンであって、マッサージ機の基台に設けた折り曲げ部にピンを差し込むことで折り曲げ部が固定されることを特徴とする請求項１記載のマッサージ機。
【請求項３】
折り曲げ部固定手段がマッサージ機の基台に設けた折り曲げ部自身であって、折り曲げ部がスライド係合自在な複数の部材により構成され、スライド係合時に折り曲げ部が折り曲げ方向に折り曲げられないように固定されることを特徴とする請求項１記載のマッサージ機。
【請求項４】
折り曲げ部固定手段がワイヤーにより固定された固定部材と、ワイヤーに挿通された可動部材と、マッサージ機の基台に固定されたストッパ部とで構成され、固定部材を可動部材を介してストッパ部に押し付け自在として成ることを特徴とする請求項１記載のマッサージ機。
【請求項５】
折り曲げ部固定手段が棒乃至板状の剛体の移動体であって、折り曲げ部に交差する位置と折り曲げ部と交差しない位置とに移動自在として成ることを特徴とする請求項１記載のマッサージ機。
【請求項６】
マッサージ機に枕部を回動自在に取付け、折り曲げ部固定手段による折り曲げ部の固定動作及び固定解除動作を枕部の動きに連動させて成ることを特徴とする請求項１記載のマッサージ機。
【請求項７】
折り畳み可能なマッサージ機において、折り畳んだ時の合わせ目に折り畳んだ状態を保持するための収納固定部材を設けて成る請求項１記載のマッサージ機。
【請求項８】
折り畳み可能なマッサージ機において、施療部以外の部分は硬質部材で構成して成ることを特徴とする請求項１記載のマッサージ機。
【請求項９】
外部にキャスタを着脱自在に取付けて成ることを特徴とする請求項８記載のマッサージ機。
【請求項１０】
厚みのある板状材を連結金具で連結して連結部材を構成し、隣合う板状材の端面同士の接触面の一方の端を丸くすると共に他方の端を直角にして成ることを特徴とする請求項１記載のマッサージ機。
【請求項１１】
厚みのある角状部材の一面側に設けた帯材挿通部に帯材を貫通させて複数個の角状部材を連結して連結部材を構成すると共に隣合う角状部材の端面同士を接触させて成ることを特徴とする請求項１記載のマッサージ機。
【請求項１２】
折り畳み可能なマッサージ機において、折り曲げ部に硬質の発泡体と軟質の発泡体を組み合わせて折り曲げ部の折り曲げ外周側は硬質の発泡体とし且つ折り曲げ内周側は軟質の発泡体とすることを特徴とする請求項１記載のマッサージ機。
【請求項１３】
枕部と主マッサージ部と副マッサージ部とで構成されるマットレス型のマッサージ機において、主マッサージ部乃至副マッサージ部に設けられているガイドレールを主マッサージ部と副マッサージ部との主体を構成する基台と一体に形成することを特徴とする請求項１記載のマッサージ機。
【請求項１４】
折り畳み可能なマッサージ機において、折り曲げ部の折り曲げ検知用のリミットスイッチを設けて成ることを特徴とする請求項１記載のマッサージ機。
【請求項１５】
折り畳み可能なマッサージ機において、振子部材と振子部材の振り状態により折り曲げ部の傾斜状態を検知するセンサーとを設けて成ることを特徴とする請求項１記載のマッサージ機。
【請求項１６】
折り畳み可能なマッサージ機において、折り曲げ部に帯状の２つの電極を内側と外側にそれぞれ平行になるように設置し、折り曲げ時に両電極を接触させて成ることを特徴とする請求項１記載のマッサージ機。
【請求項１７】
折り畳み可能なマッサージ機において、２つの帯状の電極の一端部をそれぞれ折り曲げ部の外側の同一面に固定し、折り曲げ部を折り曲げた状態乃至折り曲げない状態のいずれか一方で２つの電極の自由端が離れ且ついずれか他方で２つの電極の自由端同士が重なるように２つの電極を折り曲げ部に沿わせて成ることを特徴とする請求項１記載のマッサージ機。
【請求項１８】
枕部と主マッサージ部と副マッサージ部とで構成されるマットレス型のマッサージ機において、主マッサージ部乃至副マッサージ部に設けられているガイドレールに溝を形成し、布に一体に形成された芯線を溝に嵌め込んで布を固定して成ることを特徴とする請求項１記載のマッサージ機。
【発明の詳細な説明】
【０００１】
【産業上の利用分野】
本発明は、家庭において仰臥状態で肩や腰のマッサージを行うマットレス型のマッサージ機に関するものである。
【０００２】
【従来の技術】
従来のマットレス型のマッサージ機にあっては、矩形状の基台の両側に長手方向に亙るようにガイドレールを設け、主駆動部や従駆動部をガイドレールに沿って長手方向に移動自在にして形成されている。
【０００３】
【発明が解決しようとする課題】
ところで、従来のこの種のマットレス型のマッサージ機では、折り曲げ部は使用中に曲げることができるようになっているため、安全性が低いという問題があった。そして、従来にあっては、主駆動部と従駆動部をつなぐ連結部材は折り曲げ方向とその反対方向のどちらにも曲がるか、あるいは全く曲がらない棒状のものが用いられていた。しかし、前者にあっては、引っ張り方向の力しか耐えることができず、押し方向の力には逆反りの現象が起こるという問題があり、また、後者にあっては、折り曲げができないという問題があった。また、折り畳み時（収納時）には本体の裏側が外側部材となるため、衝撃に弱いという問題があった。また、折り曲げ部は折り曲げ可能とするために片側が空間部となっており全体のフォルムが形成されにくいという問題があった。また、ガイドレールが不必要な部分でも全体のフォルムを形成した時に意味のない部材を用いてフォルムを形成しなければならないという問題があった。また、従来にあっては、マッサージ駆動を停止しない状態で折り畳むおそれがあった。また、体を支える布の止め方として従来はねじで固定していたので、応力がねじ止め部分に集中し、布の破れやねじの外れといった問題があった。
【０００４】
本発明は上記の従来例の問題点に鑑みて発明したものであって、その目的とするところは、上記した折り畳み式マッサージ機の種々の問題点を解決することにあり、特に、使用中に折り曲げ部が不用意に折り曲げるということを防止することにある。
【０００５】
【課題を解決するための手段】
上記目的を達成するため本発明マッサージ機は、折り畳み可能なマッサージ機において、折り曲げ部１が折り畳み方向に折り曲げられ且つ反対方向には折り曲げられない構造のものであって、使用時に折り曲げ部１が固定でき、収納時には折り曲げることを可能とする折り曲げ部固定手段２を設けて成り、複数のローラ１１ａ、１１ｂを有し、一定距離を保つローラ１１ａ、１１ｂ間に連結部１２を設け、連結部１２が折り畳み方向には折り曲げられ且つ反対方向には折り曲げられない構造となっていることを特徴とするものである。
【０００６】
そして、折り曲げ部固定手段２がピン３であって、マッサージ機の基台４に設けた折り曲げ部１にピン３を差し込むことで折り曲げ部１が固定されることが好ましい。
また、折り曲げ部固定手段２がマッサージ機の基台４に設けた折り曲げ部１自身であって、折り曲げ部１がスライド係合自在な複数の部材により構成され、スライド係合時に折り曲げ部１が折り曲げ方向に折り曲げられないように固定されることも好ましい。
【０００７】
また、折り曲げ部固定手段２がワイヤー５により固定された固定部材５０と、ワイヤー５に挿通された可動部材５１と、マッサージ機の基台４に固定されたストッパ部５５とで構成され、固定部材５０を可動部材５１を介してストッパ部５５に押し付け自在とすることも好ましい。
また、折り曲げ部固定手段２が棒乃至板状の剛体の移動体６であって、折り曲げ部１に交差する位置と折り曲げ部１と交差しない位置とに移動自在とすることも好ましい。
【０００８】
また、マッサージ機に枕部７を回動自在に取付け、折り曲げ部固定手段２による折り曲げ部１の固定動作及び固定解除動作を枕部７の動きに連動させることも好ましい。
更に、折り畳み可能なマッサージ機において、折り畳んだ時の合わせ目に折り畳んだ状態を保持するための収納固定部材８を設けることも好ましい。
【０００９】
更にまた、折り畳み可能なマッサージ機において、施療部以外の部分は硬質部材９で構成してもよい。そして、外部にキャスタ１０を着脱自在に取付けてもよい。
【００１０】
また、厚みのある板状材１３を連結金具１４で連結して連結部材１２を構成し、隣合う板状材１３の端面同士の接触面の一方の端を丸くすると共に他方の端を直角にすることも好ましい。
また、厚みのある角状部材１５の一面側に設けた帯材挿通部１６に帯材１７を貫通させて複数個の角状部材１５を連結して連結部材１２を構成すると共に隣合う角状部材１５の端面同士を接触させることも好ましい。
【００１１】
また、折り畳み可能なマッサージ機において、折り曲げ部１に硬質の発泡体１８と軟質の発泡体１９を組み合わせて折り曲げ部１の折り曲げ外周側は硬質の発泡体１８とし且つ折り曲げ内周側は軟質の発泡体１９としてもよい。
また、枕部７と主マッサージ部２０と副マッサージ部２１とで構成されるマットレス型のマッサージ機において、主マッサージ部２０乃至副マッサージ部２１に設けられているガイドレール２６を主マッサージ部２０と副マッサージ部２１との主体を構成する基台４と一体に形成してもよい。
【００１２】
また、折り畳み可能なマッサージ機において、折り曲げ部１の折り曲げ検知用のリミットスイッチ２２を設けてもよい。
また、折り畳み可能なマッサージ機において、振子部材２３と振子部材２３の振り状態により折り曲げ部１の傾斜状態を検知するセンサー２４とを設けることも好ましい。
【００１３】
また、折り畳み可能なマッサージ機において、折り曲げ部１に帯状の２つの電極２５ａ、２５ｂを内側と外側にそれぞれ平行になるように設置し、折り曲げ時に両電極２５ａ、２５ｂを接触させる構成としてもよい。
また、折り畳み可能なマッサージ機において、２つの帯状の電極２５ａ、２５ｂの一端部をそれぞれ折り曲げ部１の外側の同一面に固定し、折り曲げ部１を折り曲げた状態乃至折り曲げない状態のいずれか一方で２つの電極２５ａ、２５ｂの自由端が離れ且ついずれか他方で２つの電極２５ａ、２５ｂの自由端同士が重なるように２つの電極２５ａ、２５ｂを折り曲げ部１に沿わせるようにしてもよい。
【００１４】
また、枕部７と主マッサージ部２０と副マッサージ部２１とで構成されるマットレス型のマッサージ機において、主マッサージ部２０乃至副マッサージ部２１に設けられているガイドレール２６に溝２７を形成し、布２８に一体に形成された芯線２９を溝２７に嵌め込んで布２８を固定してもよい。
【００１５】
【作用】
しかして、上記のような構成の本発明によれば、マッサージ機は折り曲げ部１が折り畳み方向に折り曲げられ且つ反対方向には折り曲げられない構造になっており、マッサージ機を使用する際には非折り畳み状態で使用するのであるが、使用時に折り曲げ部固定手段２により折り曲げ部１を固定して不用意に折り畳み側に曲がらないようになっており、収納時（つまり折り畳み時には）折り曲げ部固定手段２による折り曲げ部１の固定を解除して折り畳みに支障がないようにしてある。また、複数のローラ１１ａ、１１ｂを有し、一定距離を保つローラ１１ａ、１１ｂ間に連結部１２を設け、連結部１２が折り畳み方向には折り曲げられ且つ反対方向には折り曲げられない構造とすることで、連結部１２がどの位置に位置していても一方側には折り曲げることができるものである。
【００１６】
そして、折り曲げ部固定手段２がピン３であって、マッサージ機の基台４に設けた折り曲げ部１にピン３を差し込むことで折り曲げ部１が固定されるようにすることで、ピン３の抜き差しという簡単な構成で折り曲げ部１の固定、固定解除ができるものである。
また、折り曲げ部固定手段２がマッサージ機の基台４に設けた折り曲げ部１自身であって、折り曲げ部１がスライド係合自在な複数の部材により構成され、スライド係合時に折り曲げ部１が折り曲げ方向に折り曲げられないように固定されることで、折り曲げ部１のスライド係合という簡単な構成で折り曲げ部１の固定、固定解除ができるものである。
【００１７】
また、折り曲げ部固定手段２がワイヤー５により固定された固定部材５０と、ワイヤー５に挿通された可動部材５１と、マッサージ機の基台４に固定されたストッパ部５５とで構成され、固定部材５０を可動部材５１を介してストッパ部５５に押し付け自在とすることで、ワイヤー５の移動により折り曲げ部１の固定、固定解除が簡単にできるものである。
【００１８】
また、折り曲げ部固定手段２が棒乃至板状の剛体の移動体６であって、折り曲げ部１に交差する位置と折り曲げ部１と交差しない位置とに移動自在とすることで、移動体６の移動により折り曲げ部１の固定、固定解除が簡単にできるものである。
また、折り曲げ部固定手段２による折り曲げ部１の固定動作及び固定解除動作を枕部７の動きに連動させることで、使用時に枕部７を回動させて使用状態に位置させることで、枕部７の動き連動して折り曲げ部１の固定をし、非使用時には枕部７を回動させて折り畳むことで折り曲げ部１の固定を解除してマッサージ機を折り畳むことができるものである。
【００１９】
また、折り畳んだ時の合わせ目に折り畳んだ状態を保持するための収納固定部材８を設けるものにおいては、折り畳んだ状態を収納固定部材８で保持して収納できるものである。
更にまた、施療部以外の部分は硬質部材９で構成してあるので、折り畳んだ際外部に位置する部分が硬質であって、変形したり、凹んだりしないようになっている。そして、外部にキャスタ１０を着脱自在に取付けることで、折り畳んだ状態でキャスタ１０を取付けて簡単に移動することができるものである。
【００２０】
また、厚みのある板状材１３を連結金具１４で連結して連結部材１２を構成し、隣合う板状材１３の端面同士の接触面の一方の端を丸くすると共に他方の端を直角にすることで、簡単な構成で一方側には折り曲がり、他方側には曲がらないようにできる。
【００２１】
また、厚みのある角状部材１５の一面側に設けた帯材挿通部１６に帯材１７を貫通させて複数個の角状部材１５を連結して連結部材１２を形成すると共に隣合う角状部材１５の端面同士を接触させることで、簡単な構成で一方側には折り曲がり、他方側には曲がらないようにできる。
また、折り畳み可能なマッサージ機において、折り曲げ部１に硬質の発泡体１８と軟質の発泡体１９を組み合わせて折り曲げ部１の折り曲げ外周側は硬質の発泡体１８とし且つ折り曲げ内周側は軟質の発泡体１９とすることで、折り曲げ部１が一方には折り畳に可能で、他方には折り畳むことができないように構成できる。
【００２２】
また、枕部７と主マッサージ部２０と副マッサージ部２１とで構成されるマットレス型のマッサージ機において、主マッサージ部２０乃至副マッサージ部２１に設けられているガイドレール２６を主マッサージ部２０と副マッサージ部２１との主体を構成する基台４と一体に形成に形成することで、構造を簡略化できる。
【００２３】
また、折り畳み可能なマッサージ機において、折り曲げ部１の折り曲げ検知用のリミットスイッチ２２を設けることで、折り畳み状態をリミットスイッチ２２で検知して、マッサージ機の駆動を停止するようにできる。
また、折り畳み可能なマッサージ機において、振子部材２３と振子部材２３の振り状態により折り曲げ部１の傾斜状態を検知するセンサー２４とを設けることで、簡単に折り畳み状態を検知して、マッサージ機の駆動を停止するようにできる。
【００２４】
また、折り畳み可能なマッサージ機において、折り曲げ部１に帯状の２つの電極２５ａ、２５ｂを内側と外側にそれぞれ平行になるように設置し、折り曲げ時に両電極２５ａ、２５ｂを接触させる構成とすることで、簡単に折り畳み状態を検知して、マッサージ機の駆動を停止するようにできる。
また、折り畳み可能なマッサージ機において、２つの帯状の電極２５ａ、２５ｂの一端部をそれぞれ折り曲げ部１の外側の同一面に固定し、折り曲げ部１を折り曲げた状態乃至折り曲げない状態のいずれか一方で２つの電極２５ａ、２５ｂの自由端が離れ且ついずれか他方で２つの電極２５ａ、２５ｂの自由端同士が重なるように２つの電極２５ａ、２５ｂを折り曲げ部１に沿わせることで、簡単に折り畳み状態を検知して、マッサージ機の駆動を停止するようにできる。
【００２５】
また、枕部７と主マッサージ部２０と副マッサージ部２１とで構成されるマットレス型のマッサージ機において、主マッサージ部２０乃至副マッサージ部２１に設けられているガイドレール２６に溝２７を形成し、布２８に一体に形成された芯線２９を溝２７に嵌め込んで布２８を固定することで、布２８をねじを用いることなく取付けることができる。
【００２６】
【実施例】
図１はマッサージ機の全体の外観を示すものであり、枕部７、主マッサージ部２０、副マッサージ部２１の３つの部分に分けて構成してある。図１の状態では主マッサージ部２０及び副マッサージ部２１の外面の全面は布２８で覆ってある。つまり袋状に縫製した布２８内に収納してある。この布２８は弾性（伸縮性）を有するものが好ましい。図１で３０は操作器であり、後述する主駆動部３１や従駆動部３２の駆動を操作できるようになっている。
【００２７】
図２はマッサージ機全体の内部構造を示すものである。内部には主駆動部３１と従駆動部３２とを間隔を隔てて配置してあり、主駆動部３１と従駆動部３２とは連結部材１２にて連結してある。この連結部材１２は複数個のブロックを折り曲げ自在に結合したようなものであって、一方の方向に自在に曲がるようになっていると共に他の方向には曲がることができず、しかも一方の方向に自在に曲がる際、連結部材１２のどの位置でも一方の方向には自由に曲がるようになっている。つまり、図２の状態でどの位置でも上方に曲がり、下方に向けては曲がらないようになっている。主マッサージ部２０の両側には長手方向の全長に亙るようにガイドレール２６を設けてある。このガイドレール２６は主マッサージ部２０だけに設けてあり、副マッサージ部２１には設けていない。主駆動部３１の両側はガイドレール２６にはめ込まれており、ガイドレール２６にてガイドレール２６の長さ方向に亙って移動するようになっている。従駆動部３２は連結部材１４を介して主駆動部３１と一緒に走行して移動するようになっており、従駆動部３２は副マッサージ部２１まで移動するようになっている。主マッサージ部２０では主駆動部３１と従駆動部３２の両方または主駆動部３１だけでマッサージでき、副マッサージ部２１では従駆動部３２によりマッサージができるようになっている。主駆動部３１と従駆動部３２とにはそれぞれ揉み輪となるローラ１１ａ、１１ｂが設けられ、揉み輪となるローラ１１ａ、１１ｂにてマッサージ効果をもたらすようになっている。基台４は主マッサージ部２０から副マッサージ部２１まで亙る一体の平板物か、あるいは主マッサージ部２０と副マッサージ部２１とにそれぞれ別々の平板状の基台４が設けてある。基台４が主マッサージ部２０から副マッサージ部２１まで亙る平板状に形成されている場合には基台４の主マッサージ部２０と副マッサージ部２１との間の部分は折り曲げ自在な折り曲げ部１となっている。主マッサージ部２０と副マッサージ部２１とにそれぞれ別々の平板状の基台４が設けてある場合には基台４とは別体の折り曲げ部１により連結してある。主マッサージ部２０では基台４の両側にガイドレール２６が一体的に取り付けてある。このガイドレール２６は基台４と別体に形成して一体に取り付けてあってもガイドレール２６を基台４と一緒に一体成形してあってもよい。主駆動部３１はガイドレール２６にガイドされて走行するが、従駆動部３２はコロ３４が基台４上を転動することにより走行するようになっている。
【００２８】
主マッサージ部２０では基台４にガイドレール２６が一体的に設けられているための剛体構造になって折り曲げることができない。しかし主マッサージ部２０と副マッサージ部２１との間は折り曲げ部１で折り曲げて主マッサージ部２０の上に副マッサージ部２１を重ねるように折り畳むことができるようになっている。このとき枕部７も主マッサージ部２０に重ねるように折り曲げることができるようになっている。このように枕部７を折り曲げると、コンパクトな形状となり、持ち運びや収納に便利になる。枕部７と主マッサージ部２０との間は屈曲自在な連結部材にて連結して折り曲げることができるようになっている。この連結部材として、例えば布、紐、金属部材、合成樹脂部材等がある。
【００２９】
図３はガイドレール２６の断面図を示すものである。ガイドレール２６には主駆動部３１の両側が嵌合されており、両側のガイドレール２６にてガイドされて主駆動部３１が走行するようになっている。主駆動部３１の両側端には走行ローラー３６を回転自在に装着してあり、走行ローラー３６がレール溝３７に沿って走行するようになっている。またガイドレール２６には長手方向に亙るようにラック３８を設けてあり、主駆動部３１のピニオン３４がラック３８に沿って転動して走行がガイドされるようになっている。このラック３８はガイドレール２６に一体に形成しても別部材のものを取り付けてもよい。本実施例の場合、別部材のラック３８を取り付けてある。ガイドレール２６は本実施例の場合、合成樹脂、アルミニウム、鉄等の材料を押出成形した押出成形部材であり、ガイドレール２６に長手方向に溝３９が設けられており、溝３９にラック３８をはめ込むことにより取り付けてある。このように別部材のラック３８を取り付けると、ガイドレール２６やラック３８の加工が容易になり、ガイドレール２６やラック３８の形状を変更するときも、どちらか一方のみを変更すればよいので簡単に変更でき、さらにラック３８の歯が欠けた場合もラック３８のみの取り替えで済む。なお、図３の実施例では基台４とガイドレール２６とが別部材であり、基台４の側端縁をガイドレール２６の取り付け溝２６ａに嵌合することにより、別部材を使わず、一体化されている。このことにより主マッサージ部２０の剛性を増すことができる。
【００３０】
また主駆動部３１が人体に直接当たるのを防ぐために布２８により覆ってある。ここでガイドレール２６には図２４に示すように全長にわたって溝２７が設けてあり、布２８の両端に設けた袋状部分に芯線２９が挿通して取付けてあり、この布２８の両端部に一体に形成された芯線２９を溝２７に嵌め込んで布２８を固定し、この布２８により主駆動部３１や従駆動部３２より人体を保護している。布２８は上記のようにして取付けることで、ねじで布２８を取付ける場合に比べ、ねじという固定部材が必要でなく、また、組立性が向上し、更に、布２８からガイドレール２６に伝わる応力が分散されて取付け強度が強くなる。
【００３１】
上記のような構成のマッサージ機において、すでに述べたように折り曲げ部１は折り曲げ部１が折り畳み方向に折り曲げられ且つ反対方向には折り曲げられない構造となっているが、使用に当たって、折り曲げ部１が折り畳み側に曲げられるおそれがあり、安全性の上で問題となるが、本発明においては、折り曲げ部固定手段２を設けて使用時に折り曲げ部１を固定して、使用時に不用意に折り曲げ部１が折れず、安全性を向上するようになっている。
【００３２】
図４には折り曲げ部固定手段２の一例が示してある。この実施例においては、主マッサージ部２０と副マッサージ部２１との間の両側においてそれぞれ基台４に断面Ｕ字状をした受け部材４０が固定してあり、受け部材４０にはそれぞれ連結棒４１の両端部がそれぞれ軸４２により回動自在に軸支してある。つまり、図４（ａ）において矢印方向に回動することで折り畳むことができるものである。したがって、受け部材４０と連結棒４１は折り曲げ部１を構成している。受け部材４０にはピン挿入孔４３が設けてあり、図４（ｂ）のように使用状態（つまり展延状態）において、ピン３を挿入することで、連結棒４１が受け部材４０に対して回動できないようにロックされ、このことにより、使用状態において折り曲げ部１を固定できるようになっている。したがって、この実施例においてはピン３が折り曲げ部固定手段２を構成することになる。ここで、ピン３の挿入によるロック、及びピンを抜き取るには例えば図５に示すように折り曲げ部１に相当する外面部に開口部４４を形成し、この開口部４４からピン３の挿入、抜き取りの操作をするものであり、開口部４４は蓋材４５により開閉自在に遮蔽される。
【００３３】
図６には折り曲げ部固定手段２の他例が示してある。この実施例においては、主マッサージ部２０と副マッサージ部２１との間の両側においてそれぞれ基台４に断面Ｕ字状をした第１の受け部材４０ａと第２の受け部材４０ｂとが固定してあり、第１の受け部材４０ａと第２の受け部材４０ｂとに設けた長孔４６にはそれぞれ連結棒４１の両端部に突設した軸部４７がそれぞれスライド自在且つ回動自在に挿入してあり、更に、断面Ｕ字状をした第１の受け部材４０ａの底部側に挿入突部４８が第２の受け部材４０ｂ側に向けて突設してあり、また、断面Ｕ字状をした第２の受け部材４０ｂの底部及び両内側面と連結棒４１との間には挿入突部４８が挿入自在となった隙間４９が形成してある。この実施例の場合、基台４が主マッサージ部２０側と副マッサージ部２１側とに分割してあり、両基台４を例えばフレキシブルなシートや布により連結してある。しかして、この実施例においては、第１、第２の受け部材４０ａ、４０ｂと、連結棒４１とにより折り曲げ部１が構成してある。そして、折り曲げ部１は図６（ａ）の状態で矢印方向に回動することで折り曲げることができるものであり、折り曲げ部１を固定する場合には主マッサージ部２０乃至副マッサージ部２１のいずれか一方を他方に向けて押すことで、図６（ｂ）のように第１の受け部材４０ａの挿入突部４８を第２受け部材４０ｂの隙間４９にスライドして挿入することで係合し、このスライド係合により挿入突部４８により連結棒４１が回動できないようにロックするものである。このように、本実施例においては、折り曲げ部１を構成する部材そのものが折り曲げ部固定手段２を構成している。
【００３４】
図７には他の実施例が示してあり、この実施例では断面Ｕ字状の第１の受け部材４０ａの先端部が断面Ｕ字状をした挿入突部４８となっており、この断面Ｕ字状をした挿入突部４８が断面Ｕ字状をした第２の受け部材４０ｂの他端の内周部と連結棒４１との間の隙間４９に挿入自在となっている。図７（ｃ）が折り曲げ部１の固定状態を示し、図７（ｂ）が折り曲げ部１の非固定状態を示している。
【００３５】
図８には折り曲げ部固定手段２の他例が示してある。この実施例においては、ワイヤー５に固定部材５０を固着し、また、複数の可動部材５１がワイヤー５に移動自在に取付けてある。可動部材５１は大径の露出部５２と一段乃至複数段の小径のはめ込み部５３とを有し、更に、はめ込み部５３の先端からコイルスプリングのようなばね材５４が突出してあり、この可動部材５１は折り曲げ部１部分においてワイヤー５に沿って移動自在となっている。また、固定部材５０には図示を省略しているが、可動部材５１と対向する側に固定部材５０のばね材５４を備えたはめ込み部５３を挿入するための凹所が形成してあり、更に、可動部材５１のはめ込み部５３を設けた側と反対側には隣りの固定部材５０のばね材５４を備えたはめ込み部５３を挿入するための凹所が形成してある。固定部材５０から最も離れた側に位置する可動部材５１に対向して基台４にストッパ部５５が固定してある。ワイヤー５は上記ストッパー部５５を挿通している。このワイヤー５は図８（ａ）のようにモータ５６により矢印イ方向にワイヤー５を移動させたり、あるいは矢印ロ方向にワイヤー５を移動させたりできるようになっている。しかして、図８（ｂ）の状態では可動部材５１と固定部材５０、可動部材５１同士がそれぞれ離れており、したがって折り曲げ部１は折り曲げができる状態となっている。ここで、マッサージ機の使用に当たってはワイヤー５をモータ５６により図８（ｃ）の矢印イ方向に移動することで、ワイヤー５に固着した固定部材５０が移動し、可動部材５１をストッパ部５５に押し当てる。このことにより可動部材５１のばね材５４付きのはめ込み部５３が凹所に次々と嵌め込まれて図８（ｃ）のように可動部材５１は露出部５２のみが外部に露出する。この状態でははめ込み部５３が凹所に嵌め込んであるため折り曲げ部１が折り曲げできないように固定されることになる。この場合、ばね材５４は凹所内において圧縮されることになる。そして、使用が終わり、折り曲げ部１で折り曲げたい場合には矢印ロ方向にワイヤー５を移動することで、固定部材５０が移動し、これにより、ばね材５４の復元力によりはめ込み部５３が凹所から飛び出し、図８（ｂ）のように、固定部材５０と可動部材５１、可動部材５１同士がそれぞれ離れた状態となり、折り曲げ部１の折り曲げができるのである。
【００３６】
図９には折り曲げ部固定手段２の更に他例が示してある。この実施例においては、折り畳み部固定手段２が棒乃至板状の剛体の移動体６により構成してあり、該移動体６を折り曲げ部１に対して交差する位置と折り曲げ部１と交差しない位置とで移動自在となっており、折り曲げ部１と交差する位置に位置させる場合には折り曲げ部１を折り曲げることができず、折り曲げ部１と交差しない位置に位置させる場合には折り曲げ部１を折り曲げることができるようになっている。この実施例においては、図９に示すようにワイヤー５を基台４の中空部５７を通して基台４の前後にわたって掛け廻し、ワイヤー５に移動体６を固定してある。したがって、ワイヤー５を移動することで、移動体６を移動できるのである。ここで、ワイヤー５の移動に当たっては、モータにより行ってもよく、あるいは、マッサージ機の外面部に開口部を設けて、この開口部を利用してワイヤー５を手で移動するようにしてもよい。図９においては移動体６として基台４の中空部５７内に配置した場合の例と、基台４の外面側に配置した場合の例とが示してあるが、どちらか一方を選択してもよい。また、図９に示すように折り曲げ部１に剛体部材５８を粘着材などに貼り付けるようにしてもよい。この場合もマッサージ機の外面部に開口部を設けて、この部分を利用して行うものである。
【００３７】
図１０には折り曲げ部固定手段２の更に他例が示してある。この実施例においては、本実施例においては枕部７が主マッサージ部２０に対して回動自在に取付けてあり、図１０（ｂ）の状態がマッサージ機を使用する状態で枕部７を主マッサージ部２０に対して平行に展延した状態であり、図１０（ａ）の状態がマッサージ機を折り畳んで収納する際に枕部７を主マッサージ部２０に対して回動して重ねる場合の回動途中の説明図である。そして、本実施例では折り畳み部固定手段２による折り曲げ部１の固定動作及び固定解除動作を枕部７の動きに連動させるようにしたものである。つまり、図１０（ａ）のように枕部７を収納のために回動すると、折り畳み部固定手段２による折り曲げ部１の固定が解除されて主マッサージ部２０と副マッサージ部２１との間にある折り曲げ部１が折り曲げ可能な状態となり、また、使用する際には図１０（ｂ）のように枕部７を回動することで折り畳み部固定手段２によって折り曲げ部１が固定されて折れ曲がらないようになっている。この枕部７の回動運動と折り曲げ部固定手段２による折り曲げ部１の固定、固定解除の伝達機構は、例えば歯車による伝達、クランク式による伝達、カム式による伝達、電動モータによる伝達等が採用できる。
【００３８】
図１１にはマッサージ機を折り曲げ部１で折り畳んだ際の固定が示してある。この実施例においては、折り畳んだ時における主マッサージ部２０と副マッサージ部２１との合わせ目、主マッサージ部２０と枕部７との合わせ目にファスナー５９、磁石、紐等の収納固定部材８を設けて合わせ目を固定して収納状態を保形するようになっている。
【００３９】
図１２にはマッサージ機の外側（つまり施療部と反対側の面）が硬質部材９で構成してある実施例を示している。マッサージ機を伸ばして使用すると、施療部は布２８が張ってあり、通常のマッサージ効果を得ることができる。折り畳むと図１２（ｂ）（ｃ）のようになり、硬質部材９が外部に露出し、外部からの衝撃に対して強く、内側にある機械部に損傷を与えることがないようになっている。また、柔らかいベッドの上に載置しても機体が変形することなくスムーズに動作することができるようになっている。この硬質部材９には必要に応じて図１２（ｂ）（ｃ）のようにキャスタ１０を着脱自在に取付けることができるようにしてもよい。このようにキャスタ１０を取付けると、折り畳んだ際における持ち運びに便利であり、また、図１２（ｃ）の場合更に把手（図示せず）を付けるとスーツケースのような状態となり、重さが苦にならずに移動できる。
【００４０】
図１３には複数の揉み輪となる施療用のローラ１１ａ、１１ｂ間を一定距離に保つために主駆動部３１と従駆動部３２とを連結部材１２で連結し、該連結部材１２が折り畳み方向には折り曲げられ且つ反対方向には折り曲げられない構造となり、しかも押しの力や引きの力に対しても耐えることができる実施例が示してある。すなわち、図１３においては、連結部材１２が複数の板状材１３のブロックを連結金具１４により回動自在に連結して構成してあり、この実施例では隣合う連結金具１４の端面同士の接触面の一方の端を丸くすると共に他方の端を直角にしてあり、連結材１２は図１３において上面側には板状材１３同士の接触面の上面が丸くなっているので回動できるが下面側には板状材１３同士の接触面の下面が直角となっているので回動できないようになっている。この実施例においては押し力に対しては面で耐え、引きの力に対しては連結金具１４で耐えている。
【００４１】
また、図１４の実施例においては、厚みのある角状部材１５を複数個連ね、各角状部材１５の上面に設けた帯材挿通部１６に帯材１７を貫通させ、帯材１７の両端部は両端に位置する角状部材１５又は主駆動部３１と従駆動部３２とに固定してある。そして、押す力に対しては角状部材１５の面同士が接面して耐え、引く力に対しては帯材１７により耐えるようになっている。また帯材１７が角状部材１５の上面に配置してあるため、下面側に曲げようとすると帯材１７が引っ張られて複数個連なった角状部材１５が折り曲がることがない。しかし、上面方向に曲げようとすると帯材１７が引っ張られることなく容易に折り曲げることができる。図１４（ａ）は連結した状態を示し、図１４（ｂ）は連結前の単品の状態の時の例を示している。この実施例においては角状部材１５が幅の狭いピース材であって、このため施療用のローラ１１ａ、１１ｂの両端部のみを連結する構成にでき、この場合には、連結部材１２を構成する角状部材１５が体に当たらず違和感がなく、心地良いマッサージが得られる。また、角状部材１５が幅の狭いピース材であることで、重量を軽くできるものである。
【００４２】
また、図１５には折り曲げ部１のフォルム形成用の部材を示している。この実施例においては、折り曲げ部１に図１５のような硬質の発泡体１８と軟質の発泡体１９を組み合わせたフォルム形成用の部材を設ける例が示してある。この例では折り曲げ部１の折り曲げ外周側には硬質の発泡体１８を折り曲げ内周側には軟質の発泡体１９とするものである。そして、このフォルム形成用の部材は折り曲げ部１に配設されて折り曲げ部１のフォルムを形成するようになっており、折り曲げ時には軟質の発泡体１９が圧縮されて折り曲げられ、非折り曲げ時には図１５の状態となって折り曲げ部１のフォルムを形成するのである。
【００４３】
図１６には枕部７と主マッサージ部２０と副マッサージ部２１とで構成されるマットレス型のマッサージ機において、主マッサージ部２０乃至副マッサージ部２１に設けられているガイドレール２６を主マッサージ部２０と副マッサージ部２１との主体を構成する基台４と一体に形成した例を示している。このものは基台４とガイドレール２６とが押し出し部材により形成されている。また、従駆動部３１が移動する範囲（折り曲げ部１を除く）にガイドレール２６を形成してもよい。
【００４４】
ところで、本発明においては、折り曲げ部１を折り曲げた場合、折り曲げを検知してスイッチ機構によりマッサージ機の駆動を停止して安全性を向上させてある。
図１７、図１８にはリミットスイッチ２２を用いた例が示してある。基台４の折り曲げ部１付近にリミットスイッチ２２が配設してある。図中６０はリミットスイッチ２２を作動するための弾性を有する作動片であり、金具、成型品、ピアノ線等により形成してあってリミットスイッチ２２に一端部が回動自在に取付けてあり、他端部が折り曲げ部１側に突出してある。しかして、基台４が展伸している状態では図１８（ａ）のように作動片６０によりリミットスイッチ２２を押し上げることはないが、図１８（ｂ）のように基台４を折り曲げ部１部分で折り曲げた場合、基台４が弾性を有する作動片６０を押してリミットスイッチ２２を押し上げてリミットスイッチ２２のスイッチの切替えを行うものである。このように折り曲げた場合にリミットスイッチ２２のスイッチの切替えを行うことで、マッサージ機の駆動を停止するようになっている。なお、この実施例においては、図１８（ｃ）のように踏みつけ防止用金具６４により作動片６０を覆い、作動片６０は該踏み付け防止金具６４内を移動するようにしている。
図１９には振子部材２３と、振子部材２３の振り状態を検知して該振子部材２３の振り状態により折り曲げ部１の傾斜状態を検知するセンサー２４とを設けた例が示してあり、センサー２４により折り曲げ部１の傾斜状態を検知するとスイッチ機構によりマッサージ機の駆動を停止するようになっている。この実施例においては、基台４に固定したケース６１内に振子部材２３となる分銅がピン６２により回動自在に取付けてあり、振子部材２３はケース６１内に設けた透過型のセンサー２４の間を動くようになっている。また、振子部材２３には透過型のセンサー２４の光を通すことができる孔６３がセンサー６１の光を通しているが、基台４を折り曲げて傾けると振子部材２３は常に下を向くため、透過型のセンサー２４と振子部材２３との位置がずれて光が透過されないため、スイッチ機構の切替えが行われてマッサージ機の駆動を停止するものである。ここで、振子部材２３の孔６３の大きさは透過型のセンサー２４の光が通る程度であれば特に限定はない。また、孔６３の数も特に限定はなく、複数設けた場合には折り曲げ部１の折り曲げ状態に応じた傾斜角度が正確に検知できるものである。
【００４５】
図２０には、折り曲げ部１に帯状の２つの電極２５ａ、２５ｂを内側と外側にそれぞれ平行になるように設置し、折り曲げ時に両電極２５ａ、２５ｂを接触させる構成としたものの例が示してある。この実施例においては、折り曲げ部１に孔部６５を設け、折り曲げ部１の内側と外側において孔部６５にかけわたすように２つの電極２５ａ、２５ｂを配設して、２つの電極２５ａ、２５ｂの両端部をそれぞれ折り曲げ部１又は基台４に固定してある。ここで、一方の電極２５ａは平坦となっているが、他方の電極２５ｂは電極２５ａ側へ向けて凸形状となっており（つまり、逆方向への湾曲を防止している）、基台８が展伸している状態では図２（ａ）のように２つの電極２５ａ、２５ｂが離れており、基台８を折り曲げ部１で折り曲げた場合、図２０（ｂ）のように２つの電極２５ａ、２５ｂが接触して折り曲げ状態が検知されるとともに、両電極２５ａ、２５ｂにより構成されるスイッチ機構の働きによりマッサージ機の駆動を停止するようになっている。
【００４６】
図２１、図２２には折り曲げ部１部分の片面に複数のガイド部材６６を固定し、この複数のガイド部材６６と基台４との間に２枚の弾性を有する帯状の電極２５ａ、２５ｂを通し、帯状の電極２５ａ、２５ｂの先端同士を重ね合わせ、重ね合わせない方の他端を固着具６７により基台４に固着してある。一方の電極２５ａの重なりあっている方の端部は少し折り曲げて折り曲げ接触部６８を形成して接触しやすいようにしてあり、また、他方の電極２５ｂの重なりあっている方の端部は突部６９を形成して接触性を良好にしている。そして、この実施例においては、図２１のように２つの電極２５ａ、２５ｂを折り曲げ方向の内側に配置しても、あるいは図２２のように折り曲げ方向の外側に配置してもよい。図２１においては、基台４が展伸している状態では図２１（ａ）のように２枚の帯状の電極２５ａ、２５ｂの先端の自由端同士が接触し、基台４を折り曲げ部１で折り曲げた場合には図２１（ｂ）のように２枚の帯状の電極２５ａ、２５ｂの先端の自由端同士が離れるものであり、また、図２２においては、図２２（ａ）のように基台４が展伸している状態では２枚の帯状の電極２５ａ、２５ｂの先端が離れ、図２２（ｂ）のように基台４を折り曲げ部１で折り曲げた場合には２枚の帯状の電極２５ａ、２５ｂの先端の自由端同士が接触するものである。したがって、上記の両電極２５ａ、２５ｂにより折り曲げ部１の折り曲げ状態を検知し、両電極２５ａ、２５ｂにより構成されるスイッチ機構の働きによりマッサージ機の駆動を停止するようになっている。
【００４７】
図２３においては、弾性を有する帯板７１の一端部を固定し、帯板７１の他端に設けた磁石７２を基台４に設けたケース６１内にスライド自在に挿入し、ケース６１内にリードスイッチ７３が配設してある。そして、この実施例では折り曲げ部１の折り曲げにより帯板７１がスライドして磁石７２の移動によりリードスイッチ７３をオン、オフするようになっている。このことにより、折り曲げを検知してマッサージ機の駆動を停止するようになっている。この実施例でも帯板７１とリードスイッチ７３は基台４の折り曲げ部１の外側、内側のいずれに配置してもよい。
【００４８】
【発明の効果】
本発明は叙述のように折り曲げ部が折り畳み方向に折り曲げられ且つ反対方向には折り曲げられない構造のものであって、使用時に折り曲げ部が固定でき、収納時には折り曲げることを可能とする折り曲げ部固定手段を設けてあるので、折り曲げ部を介して所定の状態に折り曲げることができるとともに、使用時には折り畳み部が固定されて不用意に折れ曲がったりして危険となることがなくて安全に使用できるものである。また、複数のローラを有し、一定距離を保つローラ間に連結部材を設け、連結部材が折り畳み方向には折り曲げられ且つ反対方向には折り曲げられない構造となっているので、連結部材がいかなる位置で停止してもマッサージ機を折り曲げ部で折り曲げることができるものである。
【００４９】
また、本発明の請求項２記載の発明にあっては、折り曲げ部固定手段がピンであって、マッサージ機の基台に設けた折り曲げ部にピンを差し込むことで折り曲げ部が固定されるので、ピンの抜き差しという簡単な操作でよく、構成も簡略化され、強度も強く、手軽で安全である。
また、本発明の請求項３記載の発明にあっては、折り曲げ部固定手段がマッサージ機の基台に設けた折り曲げ部自身であって、折り曲げ部がスライド係合自在な複数の部材により構成され、スライド係合時に折り曲げ部が折り曲げ方向に折り曲げられないように固定されるので、折り曲げ部固定手段として別体の部材が必要でなく、また、スライドのみにより固定と固定解除とができるので円滑な動作でマッサージができるものである。
【００５０】
また、本発明の請求項４記載の発明にあっては、折り曲げ部固定手段がワイヤーにより固定された固定部材と、ワイヤーに挿通された可動部材と、マッサージ機の基台に固定されたストッパ部とで構成され、固定部材を可動部材を介してストッパ部に押し付け自在としてあるので、ワイヤーの移動という簡単な構成で折り曲げ部の固定、固定解除ができるものであり、また、ワイヤーを用いているため軽量化がはかれ、機構の簡略化できるものである。また可動部材の数を調整することで折り曲げ部の折り曲げ角度も調整できるものである。
【００５１】
また、本発明の請求項５記載の発明にあっては、折り曲げ部固定手段が棒乃至板状の剛体の移動体であって、折り曲げ部に交差する位置と折り曲げ部と交差しない位置とに移動自在としてあるので、棒乃至板状の剛体の移動体という簡単な構成のもので、使用中に確実に折り曲げ部が曲がらないようにできるものであり、操作も簡単に行えるものである。
【００５２】
また、本発明の請求項６記載の発明にあっては、マッサージ機に枕部を回動自在に取付け、折り曲げ部固定手段による折り曲げ部の固定動作及び固定解除動作を枕部の動きに連動させてあるので、収納動作と、施療時の開放動作での枕部の回動により、収納時には折り曲げ部が非固定状態となり、使用時（施療時）には折り曲げ部が固定状態にでき、使用者は折り曲げ部の固定及び非固定をわざわざしなくても、自然に折り曲げ部の固定及び非固定が行えるものである。
【００５３】
また、本発明の請求項７記載の発明にあっては、折り畳み可能なマッサージ機において、折り畳んだ時の合わせ目に折り畳んだ状態を保持するための収納固定部材を設けてあるので、折り畳んだ状態において外観に余分なものが見えなくなってすっきりした外観にでき、また、収納状態を保形して収納時に引っ掛かるものがないため、スムーズに収納できるものである。
【００５４】
また、本発明の請求項８記載の発明にあっては、施療部以外の部分は硬質部材で構成してあるので、折り畳んだ場合において外部に露出する面が硬質部材となって、外部からの衝撃に対して強く、内側にある機械部に損傷を与えることがなく、また施療部と反対側が硬質部材であるため柔らかいベッドの上に置いた時にも機体が変形することがないものであって、スムーズにマッサージ動作ができるものである。
【００５５】
また、本発明の請求項９記載の発明にあっては、外部にキャスタを着脱自在に取付けてあるので、折り畳んだ場合における持ち運びが便利にできるものである。
【００５６】
また、本発明の請求項１０記載の発明にあっては、厚みのある板状材を連結金具で連結して連結部材を構成し、隣合う板状材の端面同士の接触面の一方の端を丸くすると共に他方の端を直角にしてあるので、簡単な構成により一方側には折り曲げることができるが、他方側には折り曲げることができない連結部材を構成でき、また施療中におけるローラ間の押しの力には板状材の接触面により面状態で受けて強度が強いものである。
【００５７】
また、本発明の請求項１１記載の発明にあっては、厚みのある角状部材の一面側に設けた帯材挿通部に帯材を貫通させて複数個の角状部材を連結して連結部材を構成すると共に隣合う角状部材の端面同士を接触させてあるので、簡単な構成により一方側には折り曲げることができるが、他方側には折り曲げることができない連結部材を構成でき、また、このものにおいては、ローラ間の圧縮力に対しては角状部材同士の当接面が有効に対向し、引っ張り力に対しては帯材が有効に対向できるものである。
【００５８】
また、本発明の請求項１２記載の発明にあっては、折り曲げ部に硬質の発泡体と軟質の発泡体を組み合わせて折り曲げ部の折り曲げ外周側は硬質の発泡体とし且つ折り曲げ内周側は軟質の発泡体とするので、折り曲げた状態でも外部にはみ出すことがなく、また、奇麗なフォルムが形成でき、更に、折り曲げ部においても身体を支えることができるものである。
【００５９】
また、本発明の請求項１３記載の発明にあっては、枕部と主マッサージ部と副マッサージ部とで構成されるマットレス型のマッサージ機において、主マッサージ部乃至副マッサージ部に設けられているガイドレールを主マッサージ部と副マッサージ部との主体を構成する基台と一体に形成するので、ガイドレールを基台と一体に押し出し部材で形成することが可能となり、一部に補強部材を用いるだけでガイドレールとしての役目を果たし、このことにより、コストダウンがはかれ、加工工程の削減や寸法管理の削減等ができる。また、ガイドレールとして使用しない場合も全体のフォルム形成に役立つものである。
【００６０】
また、本発明の請求項１４記載の発明にあっては、折り畳み可能なマッサージ機において、折り曲げ部の折り曲げ検知用のリミットスイッチを設けてあるので、折り曲げをリミットスイッチで検知することができ、マッサージ動作を停止させて安全性を向上させることができる。
また、本発明の請求項１５記載の発明にあっては、折り畳み可能なマッサージ機において、振子部材と振子部材の振り状態により折り曲げ部の傾斜状態を検知するセンサーとを設けることで、正確に傾斜角度を検知することができて、マッサージ動作を停止させて安全性を向上させることができる。
【００６１】
また、本発明の請求項１６記載の発明にあっては、折り曲げ部に帯状の２つの電極を内側と外側にそれぞれ平行になるように設置し、折り曲げ時に両電極を接触させるので、２つの帯状の電極を基台の両面に配置するだけでよくて構成が簡単で組立てに手間がかからず、コストも安くなり、また場所も取らないものである。
【００６２】
また、本発明の請求項１７記載の発明にあっては、折り畳み可能なマッサージ機において、２つの帯状の電極の一端部をそれぞれ折り曲げ部の外側の同一面に固定し、折り曲げ部を折り曲げた状態乃至折り曲げない状態のいずれか一方で２つの電極の自由端が離れ且ついずれか他方で２つの電極の自由端同士が重なるように２つの電極を折り曲げ部に沿わせてあるので、２つの帯状の電極を基台の同一面に配置することで組立ができて、構成が簡略化され、組立てに手間がかからないものであり、また、２つの電極を折り曲げ部に沿わせてあるので、場所をとらず、折り曲げに対応して確実にスイッチングできるものである。
【００６３】
また、本発明の請求項１８記載の発明にあっては、枕部と主マッサージ部と副マッサージ部とで構成されるマットレス型のマッサージ機において、主マッサージ部乃至副マッサージ部に設けられているガイドレールに溝を形成し、布に一体に形成された芯線を溝に嵌め込んで布を固定してあるので、布を固定するために別部材が必要ではなくてガイドレールを利用して取付けることができ、しかも、ねじ具による固定のように一部に布からの応力が集中するようなことがなくて応力が分散してガイドレールに確実に伝達できるものであって、強固も強くなり、また、挿入するのみでよいので組立性を良くなるものである。
【図面の簡単な説明】
【図１】本発明の一実施例の全体の外観を示す斜視図である
【図２】同上の内部構造を示す斜視図である。
【図３】同上のガイドレールの部分の拡大断面図である。
【図４】折り曲げ部固定手段の一例を示し、（ａ）は非固定状態を示す斜視図であり、（ｂ）は固定状態の斜視図である。
【図５】同上の開口部を示す斜視図である。
【図６】同上の他の折り曲げ部固定手段を示し、（ａ）は非固定状態を示す側面図であり、（ｂ）は固定状態の側面図である。
【図７】同上の更に他の折り曲げ部固定手段を示し、（ａ）は全体説明図であり、（ｂ）は非固定状態を示す側面図であり、（ｃ）は固定状態の側面図である。
【図８】同上の更に他の折り曲げ部固定手段を示し、（ａ）は全体説明図であり、（ｂ）は非固定状態を示す側面図であり、（ｃ）は固定状態の側面図である。
【図９】同上の更に他の折り曲げ部固定手段を示し、（ａ）は一部破断した斜視図であり、（ｂ）は折り曲げ状態を示す斜視図である。
【図１０】同上の枕部を回動する場合の説明図であり、（ａ）は収納状態とするために回動している途中の状態を示す側面図であり、（ｂ）は使用状態の側面図である。
【図１１】同上の折り畳み状態において収納固定部材により収納状態を保持している斜視図である。
【図１２】（ａ）は同上の折り曲げ途中の状態の全体斜視図であり、（ｂ）（ｃ）は折り曲げ状態においてキャスタを取付けた状態の側面図である。
【図１３】同上の連結部材の一例を示す斜視図である。
【図１４】同上の連結部材の更に他の実施例を示し、（ａ）は斜視図であり、（ｂ）は角状部材単体を示す斜視図である。
【図１５】同上の折り曲げ部の一例を示す斜視図である。
【図１６】同上の基板の全体斜視図である。
【図１７】本発明の一実施例の全体分解斜視図である。
【図１８】同上の折り曲げ部の折り曲げ検知手段の一例を示し、（ａ）は非折り曲げ状態の断面図であり、（ｂ）は折り曲げ状態の断面図であり、（ｃ）は斜視図である。
【図１９】同上の折り曲げ部の折り曲げ検知手段の他例を示し、（ａ）は非折り曲げ状態の断面図であり、（ｂ）は折り曲げ状態の断面図であり、（ｃ）は分解斜視図である。
【図２０】同上の折り曲げ部の折り曲げ検知手段の更に他例を示し、（ａ）は非折り曲げ状態の断面図であり、（ｂ）は折り曲げ状態の断面図であり、（ｃ）は斜視図である。
【図２１】同上の折り曲げ部の折り曲げ検知手段の更に他例を示し、（ａ）は非折り曲げ状態の側面図であり、（ｂ）は折り曲げ状態の側面図であり、（ｃ）は斜視図である。
【図２２】同上の折り曲げ部の折り曲げ検知手段の更に他例を示し、（ａ）は非折り曲げ状態の側面図であり、（ｂ）は折り曲げ状態の側面図である。
【図２３】同上の更に他の実施例の斜視図である。
【図２４】同上のガイドレールへの布の取付けを示し、（ａ）は断面図であり、（ｂ）は芯線の挿入状態を示す斜視図である。
【符号の説明】
１  折り曲げ部
２  折り曲げ部固定手段
３  ピン
４  基台
５  ワイヤー
５０  固定部材
５１  可動部材
５５  ストッパ部
６  移動体
７  枕部
８  収納固定部材
９  硬質部材
１０  キャスタ
１１ａ  ローラ
１１ｂ  ローラ
１２  連結部
１３  板状材
１４  連結金具
１５  角状部材
１６  帯材挿通部
１７  帯材
１８  硬質の発泡体
１９  軟質の発泡体
２０  主マッサージ部
２１  副マッサージ部
２２  リミットスイッチ
２３  振子部材
２４  センサー
２５ａ  電極
２５ｂ  電極
２６  ガイドレール
２７  溝
２８  布
２９  芯線
【図１】
0003629731.tif 000002
【図２】
0003629731.tif 000003
【図３】
0003629731.tif 000004
【図４】
0003629731.tif 000005
【図５】
0003629731.tif 000006
【図６】
0003629731.tif 000007
【図７】
0003629731.tif 000008
【図８】
0003629731.tif 000009
【図９】
0003629731.tif 000010
【図１０】
0003629731.tif 000011
【図１１】
0003629731.tif 000012
【図１２】
0003629731.tif 000013
【図１３】
0003629731.tif 000014
【図１４】
0003629731.tif 000015
【図１５】
0003629731.tif 000016
【図１６】
0003629731.tif 000017
【図１７】
0003629731.tif 000018
【図１８】
0003629731.tif 000019
【図１９】
0003629731.tif 000020
【図２０】
0003629731.tif 000021
【図２１】
0003629731.tif 000022
【図２２】
0003629731.tif 000023
【図２３】
0003629731.tif 000024
【図２４】
0003629731.tif 000025